(57)【要約】      （修正有）【課題】音楽ＣＤや映像ＤＶＤ、記録媒体としてのＣＤロム等の保護、保管のためのプラスチックケースに代わり、廃棄の際環境に適合し、生産コストを削減した収納封筒を提供する。【解決手段】台紙１０１となる印刷基材に、収納物３０１を収納固定できるよう、収納物の約半周の凹形状に糊部１０２を加工して、収納部を形成し、印刷２０２を設けた表紙２０１を台紙１０１の糊部１０２で丁合接着するようにして収納封筒を形成する。台紙１０１の非糊部である開閉部１０３は収納物３０１の挿入、取り出し部となる。印刷基材は目的と用途に応じて印刷２０２が可能となるフィルム、不燃紙、特殊用紙等が基材として使用される。【選択図】図１
2008133040.tif 000002
【特許請求の範囲】
【請求項１】
台紙となる印刷基材に収納する固定となる形状を一つ以上糊加工し、台紙と表紙を丁合し封筒状にて収納部をそなえたことを特徴とした収納封筒。
【請求項２】
台紙となる一枚の印刷基材に収納する固定となる形状を糊加工し、一折以上にて封筒状に形成して封筒にて収納部をそなえたことを特徴とした請求項１記載の収納封筒。
【請求項３】
台紙となる印刷基材に収納する固定となる形状を一つ以上糊加工し、開閉の縦ミシンと分割の横ミシンを設けた台紙と表紙を丁合し封筒状にて収納部をそなえたことを特徴とした請求項１記載又は請求項２記載の収納封筒。
【請求項４】
台紙となる印刷基材に収納する固定となる形状を一つ以上糊加工し、開閉の縦ミシンと分割の横ミシン、左右いずれかファイル穴を設けた台紙と表紙を丁合し封筒状にて収納部をそなえたことを特徴とした請求項１記載又は請求項２又は請求項３記載の収納封筒。
【発明の詳細な説明】
【発明の属する技術の分野】
【０００１】本発明は、ＣＤロム、フロッピー、カード等の記録媒体などの収納部を設けた封筒に関するものである。
【背景技術】
【０００２】従来、ＣＤ、ＤＶＤをカバー紙で被い配送を可能とした（特許公開番号Ｈ９−１７５５８１）が発明されていた。
また、紙にて収納を可能としたディスク用ケース（特開２００５−３２７０６９）が発明されていた。
【特許文献１】特許公開番号特開平９−１７５５８１
【特許文献２】特許公開番号特開２００５−３２７０６９
【発明の開示】
【発明が解決しようとする課題】
【０００３】  これには次のような欠点があった。
従来、音楽ＣＤや映像ＤＶＤ、記録媒体としてのＣＤロム等においてはプラスチックケースにて収納され販売されていた。【０００４】  （イ）音楽ＣＤや映像ＤＶＤ、記録媒体としてのＣＤロム等の販売においてはＣＤロムの保護の目的においてプラスチックケースにて収納し販売されていたがプラスチックケースにおける廃棄が環境に適した提案がなされてなかった。
（ロ）音楽ＣＤや映像ＤＶＤ、記録媒体としてのＣＤロム等の販売においてはＣＤロムの保護の目的においてプラスチックケースにて収納し販売されていたがプラスチックケースに代用した生産コストを削減した提案がなされていなかった。
（ハ）記録媒体としてのＣＤロム、フロッピー、メモリーカード等の販売においては保護、保管の目的においてプラスチックケースにて収納されていたがプラスチックケースに代用した印刷基材における収納の提案がなされてなかった。
本発明は、これらの問題点を解決するためになされたものである。
【課題を解決するための手段】
【０００５】台紙となる印刷基材に収納する固定となる形状を一つ以上糊加工し、台紙と表紙を丁合し封筒状にて収納部をそなえたことを特徴とした収納封筒を提供する。【０００６】印刷基材に収納する固定となる形状を糊加工し、一つ折以上にて封筒状に形成して封筒にて収納部をそなえたことを特徴とした収納封筒を提供する。【０００７】台紙となる印刷基材に収納する固定となる形状を一つ以上糊加工し、開閉の縦ミシンと分割の横ミシンを設けた台紙と表紙を丁合し封筒状にて収納部をそなえたことを特徴とした収納封筒を提供する。【０００８】台紙となる印刷基材に収納する固定となる形状を一つ以上糊加工し、開閉の縦ミシンと分割の横ミシン、左右いずれかファイル穴を設けた台紙と表紙を丁合し封筒状にて収納部をそなえたことを特徴とした収納封筒を提供する。
以上本発明の課題を解決するための手段として提供する。
【発明の効果】
【０００９】本発明は、記録媒体としてのＣＤロム、フロッピー、メモリーカード等の販売においては保護、保管の目的においてプラスチックケースにて収納されていたがプラスチックケースに代用した印刷基材における収納の提供である。【００１０】本発明の効果により、音楽ＣＤや映像ＤＶＤ、記録媒体としてのＣＤロム等の販売においてはＣＤロムの保護の目的においてプラスチックケースにて収納し販売されていたがプラスチックケースにおける廃棄が環境に適した提案が可能とされる。【００１１】本発明の効果により音楽ＣＤや映像ＤＶＤ、記録媒体としてのＣＤロム等の販売においてはＣＤロムの保護の目的においてプラスチックケースにて収納し販売されていたがプラスチックケースに代用した生産コストの削減が実現される。
本発明は、以上の効果を実現するものである。
【発明を実施するための最良の形態】
【００１２】  以下、本発明の実施の形態について図１乃至図６をもちいて説明する。
図１に記載されているのは、本発明、収納封筒の実施構成を示した図で印刷基材となる台紙（１０１）にＣＤロム（３０１）、フロッピー（３０２）、メモリーステック（３０３）等が固定できる約半周の凹の形状で糊部（１０２）を加工し、印刷（２０２）を設けた表紙（２０１）が台紙（１０１）の糊部（１０２）により丁合接着される。
台紙（１０１）におけるＣＤロム（３０１）、フロッピー（３０２）、メモリーステック（３０３）等の固定できる約半周の凹の形状の糊部（１０２）にて表紙（２０１）と丁合接着され収納物の約半周の凹の形状の糊部（１０２）であることから、台紙の非糊部が開閉部（１０３）となり収納物の挿入取り出しとなる。【００１３】本発明の図面の記載においては、記録媒体のＣＤロム（３０１）、フロッピー（３０２）、メモリーステック（３０３）等にて記載の表示をしているが、収納物の厚みが用紙の貼り合わせによる挟み込みが可能であれば、カード、名刺、などでも使用が可能である。【００１４】本発明の印刷基材は目的と用途に応じて印刷が可能となるフイルム、不燃紙、特殊用紙等が基材として使用される。【００１５】図２に記載されているのは、前記図１に記載した本発明、収納封筒の断面構成を示した図で台紙（１０１）、糊部（１０２）、表紙（２０１）の順の構成で、台紙の非糊部が開閉部（１０３）となり収納物の収納及び取り出しの開閉部（１０３）となる。【００１６】図３に記載されているのは前記図１、図２に記載した本発明、収納封筒の応用で印刷基材となる台紙（１０１）にＣＤロム（３０１）、フロッピー（３０２）、メモリーステック（３０３）等が分割可能となるよう、横ミシン（１０７ｂ）及び開閉の為のコーナーカット（１０５ｂ）を設け、固定できる約半周の凹の形状で糊部（１０２）が加工され、開閉部（１０１）を封印するために両面テープ（１０４）が加工され、開閉のための縦ミシン（１０６ｂ）が設けられる。
台紙と同様の仕様にて、縦ミシン（１０６ａ）、横ミシン（１０７ａ）、コーナーカット（１０５ａ）印刷（２０２）を設けた表紙（２０１）が台紙（１０１）の糊部（１０２）により丁合接着される。【００１７】図４に記載されているのは、前記図３に記載した本発明、収納封筒の断面構成を示した図で台紙（１０１）、糊部（１０２）、表紙（２０１）の順の構成で台紙（１０１）、及び表紙（２０１）に縦ミシン（１０６ａ．ｂ）、横ミシン（１０７ａ．ｂ）、コーナーカット（１０５ａ．ｂ）が設けられたものである。【００１８】図５に記載されているのは前記図１、図３に記載した本発明、収納封筒の応用で印刷基材となる台紙（１０１）にＣＤロム（３０１）、フロッピー（３０２）、メモリーステック（３０３）等が固定できる約半周の凹の形状で糊部（１０２）を加工し、開閉部（１０１）を封印するために両面テープ（１０４）が加工され、台紙（１０１）、表紙（２０１）に保管のためのファイリング穴（１０６ｂ）が設けられたものである。【００１９】図６に記載されているのは、前記図５に記載した本発明、収納封筒の断面構成を示した図で台紙（１０１）、糊部（１０２）、表紙（２０１）の順の構成で台紙（１０１）、及び表紙（２０１）に保管のためのファイリング穴（１０６ｂ）が設けられたものである。
以上、本発明の構成で、実施において下記に示す。【００２０】本発明の実施
従来、記録媒体としてのＣＤロム、フロッピー、メモリーカード等の販売においては保護、保管の目的においてプラスチックケースにて収納されていたがプラスチックケースに代用した印刷基材における収納の提案がなされてなかった。【００２１】本発明は、記録媒体としてのＣＤロム、フロッピー、メモリーカード等の販売においては保護、保管の目的においてプラスチックケースにて収納されていたがプラスチックケースに代用した印刷基材における収納の提供の実施をするものである。また、収納保管において記録媒体（メディア）のみでなく収納物の厚みが用紙の貼り合わせによる挟み込みが可能であれば、カード、名刺、などでも使用が可能である。【００２２】本発明の実施は音楽ＣＤや映像ＤＶＤ、記録媒体としてのＣＤロム等の販売においてはＣＤロムの保護の目的においてプラスチックケースにて収納し販売されていたがプラスチックケースに代用した用紙基材による記録媒体（メディア）の収納物の提供の実施をするものである。
以上、本発明は実施される。
【産業上の利用可能性】
【００２３】本発明の産業上の利用可能性により、記録媒体としてのＣＤロム、フロッピー、メモリーカード等の販売においては保護、保管の目的においてプラスチックケースにて収納されていたがプラスチックケースに代用した印刷基材における収納の提供により産業上利用される。
また、収納保管において記録媒体（メディア）のみでなく収納物の厚みが用紙の貼り合わせによる挟み込みが可能であれば、カード、名刺、などでも使用が可能である。【００２４】本発明の産業上の利用可能性により、記録媒体、カード、名刺等の収納保管印刷物として提供が可能であることから、宣伝広告、告知表示などの必要印刷を設けることでイベント、商品宣伝、販売促進等において企画販売の提案が可能とされる。
本発明は、以上の構成より産業上利用されるものである。
【図面の簡単な説明】
【００２５】
【図１】  本発明収納封筒の実施の図である。
【図２】  本発明収納封筒の断面図である。
【図３】  本発明収納封筒のミシンを設けた実施応用の図である。
【図４】  本発明収納封筒のミシンを設けた断面図である。
【図５】  本発明収納封筒のファイル穴を設けた実施応用の図である。
【図６】  本発明収納封筒のファイル穴を設けた断面図である。
【符号の説明】
【００２６】１０１．台紙
１０２．糊部
１０３．開閉部
１０４．両面テープ
１０５ａ．コーナーカット
１０５ｂ．コーナーカット
１０６ａ．縦ミシン
１０６ｂ．縦ミシン
１０７ａ．横ミシン
１０７ｂ．横ミシン
１０８ａ．ファイリング穴
１０８ｂ．ファイリング穴
２０１．表紙
２０２．印刷
３０１．ＣＤロム
３０２．フロッピー
３０３．メモリーステック
【図１】
2008133040.tif 000003
【図２】
2008133040.tif 000004
【図３】
2008133040.tif 000005
【図４】
2008133040.tif 000006
【図５】
2008133040.tif 000007
【図６】
2008133040.tif 000008